(57)【要約】【課題】本考案は、一般家庭で使用することができる打たせ湯装置に関する考案である。【解決手段】本考案は、内部が中空で左右接続部４ａ、４ｂ及び下接続部４ｃを形成した略Ｔ字状の２つのＴ字接続具４及び前記Ｔ字接続具４同士を接続する複数本のホース５とからなる打たせ湯部２と、底面に吸い口６ａを形成し側面に接続部６ｃを備えた吸い上げモーター６及び底面にハンガー部７ｃを形成し上面にスイッチ７ａ及び調節ボタン７ｂを備え内部にバッテリー７ｅを備えた電源部７とからなり前記吸い上げモーター６と電源部７をコード６ｂにより接続した駆動部３とからなることを特徴とする打たせ湯装置１の構成とした。【選択図】図１
0003145134.tif 000002
【実用新案登録請求の範囲】
【請求項１】
内部が中空で左右接続部及び下接続部を形成した略Ｔ字状の２つのＴ字接続具及び前記Ｔ字接続具同士を接続する複数本のホースとからなる打たせ湯部と、底面に吸い口を形成し側面に接続部を備えた吸い上げモーター及び底面にハンガー部を形成し上面にスイッチ及び調節ボタンを備え内部にバッテリーを備えた電源部とからなり、前記吸い上げモーターと電源部をコードにより接続した駆動部とからなることを特徴とする打たせ湯装置。
【請求項２】
内部が中空で左右接続部及び下接続部を形成した略Ｔ字状の３つのＴ字接続具及び前記Ｔ字接続具同士を接続する複数本のホースとからなる打たせ湯部とからなることを特徴とする請求項１に記載の打たせ湯装置。
【請求項３】
先端に吸い口部を備えた吸い上げ管を側面に取付け、上面にはスイッチ及び調節ボタン並びに接続部を備えた電源部からなる駆動部とからなり、前記一方の下接続部と接続部をホースで連結したことを特徴とする請求項１または請求項２に記載の打たせ湯装置。
【請求項４】
左右放出口を設けた両端が下方に屈曲し中央にホースを接続する接続部を備えた略Ｃ字状のヘッド部及び前記ヘッド部を壁面に固定するための吸盤を備えた取付ハンガーからなる打たせ湯部とからなることを特徴とする請求項３に記載の打たせ湯装置。
【請求項５】
先端にヘッド部を備えた伸縮アームを伸縮可能に取り付けたアーム及びアームを壁面に取り付けるための固定部からなる打たせ湯部と、浴槽内に連結する吸水管を連結した電源部及び前記電源部を操作するためのスイッチ、調節ボタンを備えた操作パネル並びに前記電源部とアームを接続する配水管からなる駆動部とからなることを特徴とする打たせ湯装置。
【請求項６】
先端に放出口を設け中間付近から先端にかけて蛇腹部とした２本の伸縮管からなる打たせ湯部と、前記電源部と伸縮管を接続する配水管からなる駆動部とからなることを特徴とする請求項に記載の打たせ湯装置。
【請求項７】
一端が二股に分かれて左右アームを形成した配水管からなる打たせ湯部とからなることを特徴とする請求項５又は請求項６に記載の打たせ湯装置。
【考案の詳細な説明】
【技術分野】
【０００１】
本考案は、一般家庭で使用することができる打たせ湯装置に関する考案である。
【背景技術】
【０００２】
従来、マッサージ効果等がある打たせ湯を利用するには公衆浴場や温泉等の施設へ行き利用する方法がとられていた。
【０００３】
しかしながら、打たせ湯を利用するためにわざわざ打たせ湯装置を備えた公衆浴場等へ出かけなければならず、体の不自由な人や容易に移動手段の確保できない人にとっては面倒なものであった。
【０００４】
また、そのような施設であっても打たせ湯装置が複数設けているわけではないため、好きな時間やタイミングで利用できるものではなかった。
【特許文献１】特開２００６−０５１１９６号公報
【考案の開示】
【考案が解決しようとする課題】
【０００５】
そこで、本考案は、一般家庭で容易に利用することができる打たせ湯装置を提供することを目的とするものである。
【課題を解決するための手段】
【０００６】
本考案は、上記の課題を解決するために、内部が中空で左右接続部４ａ、４ｂ及び下接続部４ｃを形成した略Ｔ字状の２つのＴ字接続具４及び前記Ｔ字接続具４同士を接続する複数本のホース５とからなる打たせ湯部２と、底面に吸い口６ａを形成し側面に接続部６ｃを備えた吸い上げモーター６及び底面にハンガー部７ｃを形成し上面にスイッチ７ａ及び調節ボタン７ｂを備え内部にバッテリー７ｅを備えた電源部７とからなり前記吸い上げモーター６と電源部７をコード６ｂにより接続した駆動部３とからなることを特徴とする本考案である打たせ湯装置１の構成とした。
【考案の効果】
【０００７】
本考案の打たせ湯装置は一般家庭の浴室で使用できるため、順番待ちすることなく好きな時間やタイミングで打たせ湯を利用することができる。
【０００８】
また、風呂水をそのまま使用するため余計な水道代がかからず経済的にも非常に安く済ませることができる。
【考案を実施するための最良の形態】
【０００９】
一般家庭の浴室に設置可能であるため好きな時間に利用することができ、利用時に余計な水道代がかからない打たせ湯装置という目的を、調節可能な打たせ湯部に風呂水を再利用する駆動部を取り付けることによって実現した。
【実施例１】
【００１０】
図１は本考案である打たせ湯装置の全体図である。図１に示すように、本考案である打たせ湯装置１は、内部が中空で左右接続部４ａ、４ｂ及び下接続部４ｃを形成した略Ｔ字状の２つのＴ字接続具４及び前記Ｔ字接続具４同士を接続する複数本のホース５とからなる打たせ湯部２と、
底面に吸い口６ａを形成し側面に接続部６ｃを備えた吸い上げモーター６及び底面にハンガー部７ｃを形成し上面にスイッチ７ａ及び調節ボタン７ｂを備え内部にバッテリー７ｅを備えた電源部７とからなり前記吸い上げモーター６と電源部７をコード６ｂにより接続した駆動部３とからなる。
【００１１】
前記打たせ湯部２の各Ｔ字接続具４、４は左右接続部４ａ、４ｂ同士をホース５、５で接続されて略円形を形成しており、この径は使用する人の頭の外周より若干小さい程度が好ましい。
【００１２】
前記Ｔ字接続具４のうち一方のＴ字接続具４は下接続部４ｃにもホース５が接続されており、このホース５の他端は駆動部３を形成する吸い上げモーター６の接続部６ｃに接続されている。他方のＴ字接続具４については下接続部４ｃにはホース５が接続されておらず、吸い上げた湯が放出するための放出口となっている。
【００１３】
前記上下接続部４ａ、４ｂ及び下接続部４ｃの外周面には凹凸４ｄが形成されており、接続したホース５が容易に外れないようになっている。また、吸い上げモーター６の接続部６ｃの外周面も同様の凹凸６ｄが形成されている。
【００１４】
前記吸い上げモーター６は底面に無数の孔を穿設して吸い口６ａを形成しており、この吸い口６ａより風呂水が吸い上げられる。吸い上げられた風呂水は接続部６ｃより放出されホース５を通り打たせ湯部２に向かう。
【００１５】
前記電源部７は上面にスイッチ７ａ及び調節ボタン７ｂを備えており、電源のオンオフや水量調節をすることができる。また、底面にはハンガー部７ｃが形成されており、電源部７自体を好きな所に引っ掛けることができる。尚、図示はしていないが、タイマー等の機能を持たせても良い。
【００１６】
電源部７の内部にはバッテリー７ｅが内包されており、また、図１に示すように電源部７には電源コード７ｄが取り付けられている。バッテリー７ｅと電源コード７ｄを備えたことにより、近くにコンセントがない場合にはバッテリー７ｅを使用し、コンセントがある場合には電源コード７ｄを使用することができる。また、電源コード７ｄを使用した場合はバッテリー７ｅへの充電をすることも可能である。
【実施例２】
【００１７】
図２は本考案である打たせ湯装置の第２実施例を示した図である。図２に示すように本考案である打たせ湯装置１ａは、前記打たせ湯装置１とほぼ同じ構造をしている。
【００１８】
即ち、本考案である打たせ湯装置１ａは、内部が中空で左右接続部４ａ、４ｂ及び下接続部４ｃを形成した略Ｔ字状の３つのＴ字接続具４及び前記Ｔ字接続具４同士を接続する複数本のホース５とからなる打たせ湯部２ａと、
底面に吸い口６ａを形成し側面に接続部６ｃを備えた吸い上げモーター６及び底面にハンガー部７ｃを形成し上面にスイッチ７ａ及び調節ボタン７ｂを備え内部にバッテリー７ｅを備えた電源部７とからなり前記吸い上げモーター６と電源部７をコード６ｂにより接続した駆動部３とからなる。
【００１９】
以上のように、打たせ湯装置１ａは打たせ湯部２ａを構成するＴ字接続具４が３つとなり、ホース５を接続せずに吸い上げた風呂水を放出する下接続部４ｃが２口となった。このようにすることで両肩同時に打たせ湯を当てることができる。
【００２０】
尚、図３は本考案である打たせ湯装置で使用する電源部を示した図である。図３に示すように、電源部７の上面にはスイッチ７ａ及び調節ボタン７ｂが取り付けられており、電源のオンオフや水量の調節を行うことができる。
【００２１】
図４は本考案である打たせ湯装置を使用した状態を示した図である。図４に示すように、打たせ湯装置１を使用するには、駆動部３を構成する吸い上げモーター６を浴槽内に入れ円形状に形成された打たせ湯部２を頭に載せて使用する。その際、ホース５を接続していない下接続部４ｃを下方に向けて打たせ湯を当てたい部分（例えば肩）の上部に位置させる。
【００２２】
吸い口６ａより吸い上げられた風呂水はホース５を通り、ホース５を接続していない下接続部４ｃより下方に向かって放出される。前記下接続部４ｃが肩の上方に位置している場合は、放出された風呂水が肩に当たることとなる。
【実施例３】
【００２３】
図５は本考案である打たせ湯装置の第３実施例を示した図、図６は本考案である打たせ湯装置の第３実施例を使用した状態を示した図である。
【００２４】
図５に示すように、本考案である打たせ湯装置１ｂは、内部が中空で左右接続部４ａ、４ｂ及び下接続部４ｃを形成した略Ｔ字状の２つのＴ字接続具４及び前記Ｔ字接続具４同士を接続する複数本のホース５とからなる打たせ湯部２と、
先端に吸い口部１０ｂを備えた吸い上げ管１０ａを側面に取付け、上面にはスイッチ１０ｄ及び調節ボタン１０ｅ並びに接続部１０ｆを備えた電源部１０からなる駆動部３ａとからなり、前記一方の下接続部４ｃと接続部１０ｆをホース５で連結した。
【００２５】
前記電源部１０の側面に取り付けられた吸い上げ管１０ａは、下方に向かって伸びており先端に吸い口部１０ｂが取り付けられている。この吸い口部１０ｂは複数本の切り込み１０ｃが入っている。
【００２６】
電源部１０の上面に突出して設けられた接続部１０ｆの外周面には接続したホース５が容易に抜けないように凹凸１０ｇが形成されている。また、同じく上面にはスイッチ１０ｄと調節ボタン１０ｅが設置されている。
【００２７】
電源部１０内にはバッテリーとモーターが内包されており、図６に示すように浴槽８の任意の箇所に取り付けて使用することができる。尚、電源コードを取り付けてコンセントから直接電力を得たり、バッテリーへの充電を行えるようにしても構わない。
【実施例４】
【００２８】
図７は本考案である打たせ湯装置の第４実施例を示した図、図８は本考案である打たせ湯装置の第４実施例を使用した状態を示した図である。
【００２９】
本考案である打たせ湯装置１ｃは、左右放出口１１ｃ、１１ｄを設けた両端が下方に屈曲し中央にホース５を接続する接続部１１ｅを備えた略Ｃ字状のヘッド部１１及び前記ヘッド部１１を壁面に固定するための吸盤１２ａを備えた取付ハンガー１２からなる打たせ湯部２ｂと、
先端に吸い口部１０ｂを備えた吸い上げ管１０ａを側面に取付け、上面にはスイッチ１０ｄ及び調節ボタン１０ｅ並びに接続部１０ｆを備えた電源部１０からなる駆動部３ａとからなり、前記一方の下接続部４ｃと接続部１０ｆをホース５で連結した。
【００３０】
図７及び図８に示すように、略Ｃ字状のヘッド部１１の両端は下方に向かって屈曲し左右アーム１１ａ、１１ｂを形成しており、前記左右アーム１１ａ、１１ｂの先端は左右放出口１１ｃ、１１ｄとなっている。
【００３１】
ヘッド部１１の中央下部には下方に向かって接続部１１ｅが形成されており、前記接続部１１ｅの外周面には凹凸１１ｆが形成されている。この凹凸１１ｆにより接続されるホース５が容易に外れることはない。
【００３２】
前記取付ハンガー１２はヘッド部１１を掛けるためのフック１２ｂとフック１２ｂの背面に取り付けた吸盤１２ａとからなり、吸盤１２ａを浴室内の任意の壁面に吸着させフック１２ｂに前記ヘッド部１１を掛けて使用する。
【００３３】
例えば浴室の高い位置に取付ハンガー１２を吸着させてヘッド部１１を掛けて使用することで、ヘッド部１１から放出される風呂水が高い位置から放出されこととなり、公衆浴場等に設置されている打たせ湯装置と同じような状態を再現することができる。
【実施例５】
【００３４】
図９は本考案である打たせ湯装置の第５実施例を示した図である。図９に示すように本考案である打たせ湯装置１ｄは先端にヘッド部１３を備えた伸縮アーム１３ａを伸縮可能に取り付けたアーム１３ｂ及びアーム１３ｂを壁面に取り付けるための固定部１３ｂからなる打たせ湯部２ｃと、
浴槽内に連結する吸水管１５ａを連結した電源部１５及び前記電源部１５を操作するためのスイッチ１６ａ、調節ボタン１６ｂを備えた操作パネル１６並びに前記電源部１５とアーム１３ｂを接続する配水管１４からなる駆動部３ｂとからなる。
【００３５】
前記伸縮アーム１３ａの先端部分は下方に向かって屈曲しており先端に放水口を穿設したヘッド部１３を備えている。このヘッド部１３は図上では平板状としているが、特に限定したものではなく円柱状等であっても構わない。
【００３６】
伸縮アーム１３ａのうち屈曲部位から後部にかけてはアーム１３ｂ内に挿通されており、自由に伸縮させることができる。
【００３７】
前記電源部１５に接続された吸水管１５ａの先端は浴槽内の壁面に連結され吸い口１５ｂを形成しており、この吸い口１５ｂから風呂水が吸い上げられるため、吸い口１５ｂの位置はできるだけ浴槽壁面の下部に取り付けるのが好ましい。
【００３８】
電源部１５内には風呂水を吸い込むための吸い上げモーターが内蔵されており、配線１６ｃを介して接続された操作パネル１６を操作して作動させることができる。操作パネル１６には電源のオンオフを行うスイッチ１６ａや水量を調節する調節ボタン１６ｂが設置されているが、この他にもタイマー等を設置してもよい。
【００３９】
以上のような構成で図９に示すように湯船に浸かった状態で打たせ湯を行ってもよく、また、浴槽の縁に座った状態で打たせ湯を行うことも可能である。但しこの場合は、図９に示した位置よりも上方に打たせ湯部２ｃを取り付ける必要がある。
【実施例６】
【００４０】
図１０は本考案である打たせ湯装置の第６実施例を示した図である。図１０に示すように、本考案である打たせ湯装置１ｅは、先端に放出口１７ｂを設け中間付近から先端にかけて蛇腹部１７ａとした２本の伸縮管１７からなる打たせ湯部２ｄと、
浴槽内に連結する吸水管１５ａを連結した電源部１５及び前記電源部１５を操作するためのスイッチ１６ａ、調節ボタン１６ｂを備えた操作パネル１６並びに前記電源部１５と伸縮管１７、１７を接続する配水管１４からなる駆動部３ｂとからなる。
【００４１】
図１０に示すように、前記伸縮管１７は先端から中央付近にかけて蛇腹部１７ａを形成しており自由に曲げることができる。この蛇腹部１７ａの先端は放出口１７ｂとなっており、駆動部３ｂより吸い上げられた風呂水が放出される。
【００４２】
また前記伸縮管１７は配水管１４内に挿通されており自由に引き伸ばすことができ、使用しない場合は縮めておくことができる。
【００４３】
前記配水管１４は浴槽の縁内に埋設されており配水管１４の上端部が浴槽縁の表面位置にある。前述の通り配水管１４の上端からは前記伸縮管１７が挿入されており、この伸縮管１７は自由に伸縮させることができる。
【００４４】
以上のような構成で図１０に示すように、湯船に浸かった状態で伸縮管１７の蛇腹部１７ａを調節し打たせ湯を行うことができる。
【実施例７】
【００４５】
図１１は本考案である打たせ湯装置の第７実施例を示した図である。図１１に示すように、本考案である打たせ湯装置１ｆは一端が二股に分かれて左右アーム１８ａ、１８ｂを形成した配水管１８からなる打たせ湯部２ｅと、
浴槽内に連結する吸水管１５ａを連結した電源部１５及び前記電源部１５を操作するためのスイッチ１６ａ、調節ボタン１６ｂを備えた操作パネル１６並びに前記電源部１５と伸縮管１７を接続する配水管１４からなる駆動部３ｂとからなる。
【００４６】
前記配水管１８は上端部が二股に分かれて左右アーム１８ａ、１８ｂを形成しており、左右アーム１８ａ、１８ｂは蛇腹となって曲げることができる。また、左右アーム１８ａ、１８ｂの先端は放出口１８ｃとなっており、駆動部３ｂが吸い上げた風呂水を放出される。
【００４７】
配水管１８のうち二股に分かれた位置から下端にかけては浴槽縁内に埋設されている配水管１４内に挿入されており、自由に伸縮させることができる。そのため、使用しない場合は二股に分かれた位置まで収納することができる。
【００４８】
以上の構成で図１１に示すように、湯船に浸かった状態で配水管１８を引き延ばし先端の左右アーム１８ａ、１８ｂを調節し打たせ湯を行うことができる。
【００４９】
下接続部４ｃの下端に形成されている放出口、左右放出口１１ｃ、１１ｄ、放出口１７ｂ及び放出口１８ｃから放出される水、温水等は、一気に放出する放出口の構造、またシャワーのように放出する構造の放出口、間欠的に放出する放水口の構造等としてもよい。
【図面の簡単な説明】
【００５０】
【図１】本考案である打たせ湯装置の全体図である。
【図２】本考案である打たせ湯装置の第２実施例を示した図である。
【図３】本考案である打たせ湯装置で使用する電源部を示した図である。
【図４】本考案である打たせ湯装置を使用した状態を示した図である。
【図５】本考案である打たせ湯装置の第３実施例を示した図である。
【図６】本考案である打たせ湯装置の第３実施例を使用した状態を示した図である。
【図７】本考案である打たせ湯装置の第４実施例を示した図である。
【図８】本考案である打たせ湯装置の第４実施例を使用した状態を示した図である。
【図９】本考案である打たせ湯装置の第５実施例を示した図である。
【図１０】本考案である打たせ湯装置の第６実施例を示した図である。
【図１１】本考案である打たせ湯装置の第７実施例を示した図である。
【符号の説明】
【００５１】
１      打たせ湯装置
１ａ    打たせ湯装置
１ｂ    打たせ湯装置
１ｃ    打たせ湯装置
１ｄ    打たせ湯装置
１ｅ    打たせ湯装置
１ｆ    打たせ湯装置
２      打たせ湯部
２ａ    打たせ湯部
２ｂ    打たせ湯部
２ｃ    打たせ湯部
２ｄ    打たせ湯部
２ｅ    打たせ湯部
３      駆動部
３ａ    駆動部
３ｂ    駆動部
４      Ｔ字接続具
４ａ    左接続部
４ｂ    右接続部
４ｃ    下接続部
４ｄ    凹凸
５      ホース
６      吸い上げモーター
６ａ    吸い口
６ｂ    コード
６ｃ    接続部
６ｄ    凹凸
７      電源部
７ａ    スイッチ
７ｂ    調節ボタン
７ｃ    ハンガー部
７ｄ    電源コード
７ｅ    バッテリー
８      浴槽
９      人間
１０      電源部
１０ａ    吸い上げ管
１０ｂ    吸い口部
１０ｃ    切り込み
１０ｄ    スイッチ
１０ｅ    調節ボタン
１０ｆ    接続部
１０ｇ    凹凸
１０ｈ    接続部
１１      ヘッド部
１１ａ    左アーム
１１ｂ    右アーム
１１ｃ    左放出口
１１ｄ    右放出口
１１ｅ    接続部
１１ｆ    凹凸
１２      取付ハンガー
１２ａ    吸盤
１２ｂ    フック
１３      ヘッド部
１３ａ    伸縮アーム
１３ｂ    アーム
１３ｃ    固定部
１４      配水管
１５      電源部
１５ａ    吸水管
１５ｂ    吸い口
１６      操作パネル
１６ａ    スイッチ
１６ｂ    調節ボタン
１６ｃ    配線
１７      伸縮管
１７ａ    蛇腹部
１７ｂ    放出口
１８      配水管
１８ａ    左アーム
１８ｂ    右アーム
１８ｃ    放出口
【図１】
0003145134.tif 000003
【図２】
0003145134.tif 000004
【図３】
0003145134.tif 000005
【図４】
0003145134.tif 000006
【図５】
0003145134.tif 000007
【図６】
0003145134.tif 000008
【図７】
0003145134.tif 000009
【図８】
0003145134.tif 000010
【図９】
0003145134.tif 000011
【図１０】
0003145134.tif 000012
【図１１】
0003145134.tif 000013
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
内部が中空で左右接続部及び下接続部を形成した略Ｔ字状の２つのＴ字接続具及び前記Ｔ字接続具の左右接続部同士を接続する複数本のホースより構成される打たせ湯部と、底面に吸い口を形成し側面に前記略Ｔ字接続具の一方の下接続部にホースを介して連結する接続部を備えた吸い上げモーター及び底面にハンガー部を形成し上面にはスイッチ及び調節ボタン、内部にはバッテリーを備え前記吸い上げモーターを駆動する電源部より構成される駆動部と、からなることを特徴とする打たせ湯装置。
【請求項２】
内部が中空で左右接続部及び下接続部を形成した略Ｔ字状の３つのＴ字接続具及び前記Ｔ字接続具同士を接続する複数本のホースとからなる打たせ湯部とからなることを特徴とする請求項１に記載の打たせ湯装置。
【請求項３】
先端に吸い口部を備えた吸い上げ管を側面に取付け、上面にはスイッチ及び調節ボタン並びに接続部を備えた電源部からなる駆動部とからなり、前記一方の下接続部と接続部をホースで連結したことを特徴とする請求項１または請求項２に記載の打たせ湯装置。
【請求項４】
左右放出口を設けた両端が下方に屈曲し中央にホースを接続する接続部を備えた略Ｃ字状のヘッド部及び前記ヘッド部を壁面に固定するための吸盤を備えた取付ハンガーからなる打たせ湯部とからなることを特徴とする請求項３に記載の打たせ湯装置。
【請求項５】
先端にヘッド部を備えた伸縮アームを伸縮可能に取り付けたアーム及びアームを壁面に取り付けるための固定部からなる打たせ湯部と、浴槽内に連結する吸水管を連結した電源部及び前記電源部を操作するためのスイッチ、調節ボタンを備えた操作パネル並びに前記電源部とアームを接続する配水管からなる駆動部とからなることを特徴とする打たせ湯装置。
【請求項６】
先端に放出口を設け中間付近から先端にかけて蛇腹部とした２本の伸縮管からなる打たせ湯部と、前記電源部と伸縮管を接続する配水管からなる駆動部とからなることを特徴とする請求項５に記載の打たせ湯装置。
【請求項７】
一端が二股に分かれて左右アームを形成した配水管からなる打たせ湯部とからなることを特徴とする請求項５又は請求項６に記載の打たせ湯装置。